(57)【要約】【課題】縦枠１と横枠２内の客土３が雨水によって流出しやすいが、この客土３を安定して保存できる。特に勾配が急な法面において、客土３を安定して保存できる。【解決手段】法枠は、縦枠１と横枠２とで包囲された空間に設けた客土容器４と、縦枠１と横枠２とで包囲された空間に充填した客土３と、より構成する。客土容器４は、客土３の一部を受け入れる容器であり、客土支持面４１と、三角側面４２で構成してあり、客土容器４の客土支持面４１には、横鉄筋１２を受けるための鉄筋支持具５が設けてある。【選択図】        図１
2006200318.tif 000002
【特許請求の範囲】
【請求項１】
鉄筋コンクリート製の縦枠と横枠によって構成する法枠の構造であって、
縦枠と横枠とで包囲された空間に設けた客土容器と、
縦枠と横枠とで包囲された空間に充填した客土と、よりなり、
客土容器は、客土の一部を受け入れる容器であり、客土支持面と、三角側面で構成してあり、
客土容器の客土支持面には、横鉄筋を受けるための鉄筋支持具が設けてあり、
この鉄筋支持具を介して、横枠の鉄筋を支持してある、
法枠の構造。
【請求項２】
客土容器の鉄筋支持具が、
客土支持面とは独立した部材であり、
客土支持面に固定が可能であるように構成した客土容器を使用する、
請求項１記載の法枠の構造。
【請求項３】
請求項１記載の法枠の構造であって、
客土容器の鉄筋支持具を介して、
鉛直方向に金網、エキスパンドメタル、パンチングメタルのような厚さを備えた有孔板を取り付けてある、
法枠の構造。
【請求項４】
鉄筋コンクリート製の縦枠と横枠によって構成する法枠の構築方法であって、
客土の一部を受け入れる容器であり、客土支持面と、三角側面で構成してあり、かつ客土支持面には、横鉄筋を受けるための鉄筋支持具が設けてある客土容器を使用し、
この客土容器を、その縁部を解して法面に取り付け、
客土容器の鉄筋支持具を介して、横鉄筋を配置し、
客土容器以外の範囲に、上段の縦鉄筋を配置し、横鉄筋に結束し、
縦鉄筋、横鉄筋を被覆する状態でコンクリートを吹き付け、コンクリート製の縦枠と横枠を完成する、
法枠の構築方法。
【発明の詳細な説明】
【技術分野】
【０００１】
本発明は、法枠の構造と施工方法に関するものである。
【背景技術】
【０００２】
鉄筋コンクリート製の縦枠と横枠によって構成する法枠であって、縦枠と横枠とで包囲された空間に客土を充填する構造が利用されている。
【特許文献１】特開２００１−０１１８６１号公報
【特許文献２】特開２０００−１７０１６９号公報
【特許文献３】特開２０００−１２９６８９号公報
【発明の開示】
【発明が解決しようとする課題】
【０００３】
前記した従来の法枠にあっては、図６に示すように、縦枠１と横枠２の間の客土３は、安定するまでの期間に流出しやすく、客土３が流出すると、法面が露出してしまい植物の育成ができないという問題があった。
特に急傾斜の法面の法枠においては、植物の育成ができないと、さらに客土３が流出し、法面の崩壊を招くという悪循環に陥る。
【課題を解決するための手段】
【０００４】
上記のような課題を解決するために本発明の法枠の構造は、鉄筋コンクリート製の縦枠１と横枠２によって構成する法枠の構造であって、縦枠１と横枠２とで包囲された空間に設けた客土容器４と、縦枠１と横枠２とで包囲された空間に充填した客土３と、よりなり、客土容器４は、客土３の一部を受け入れる容器であり、客土支持面４１と、三角側面４２で構成してあり、客土容器４の客土支持面４１には、横鉄筋１２を受けるための鉄筋支持具５が設けてあり、この鉄筋支持具５を介して、横枠２の鉄筋を支持してある、法枠の構造を特徴としたものである。
また本発明の法枠の施工方法は、鉄筋コンクリート製の縦枠１と横枠２によって構成する法枠の構築方法であって、客土３の一部を受け入れる容器であり、客土支持面４１と、三角側面４２で構成してあり、かつ客土支持面４１には、横鉄筋１２を受けるための鉄筋支持具５が設けてある客土容器４を使用し、この客土容器４を、その縁部を解して法面に取り付け、客土容器４の鉄筋支持具５を介して、横鉄筋１２を配置し、客土容器４以外の範囲に、上段の縦鉄筋１１を配置し、横鉄筋１２に結束し、縦鉄筋１１、横鉄筋１２を被覆する状態でコンクリートを吹き付け、コンクリート製の縦枠１と横枠２を完成する法枠の構築方法を特徴としたものである。
【発明の効果】
【０００５】
本発明の法枠の構造と施工方法は以上説明したようになるから次のような効果を得ることができる。
＜１＞縦枠１と横枠２内の客土３が雨水によって流出しやすいが、この客土３を安定して保存できる。
＜２＞特に勾配が急な法面において、客土３を安定して保存できる。
＜３＞横鉄筋１２を簡単、確実に保持することができる。
＜４＞縦鉄筋１１は、横鉄筋１２に結束するから、縦鉄筋１１も簡単、確実に保持することができる。
【発明を実施するための最良の形態】
【０００６】
以下図面を参照にしながら本発明の好適な実施の形態を詳細に説明する。
【実施例】
【０００７】
＜１＞前提条件。
本発明の法枠は、鉄筋コンクリート製の縦枠１と横枠２によって格子状に構成する法枠である。
縦枠１の内部には縦鉄筋１１が、横枠２の内部には横鉄筋１２が配置してある。
縦鉄筋１１とは、法面の傾斜に沿った方向に配置する鉄筋である。
横鉄筋１２とは、法面の傾斜を横断する方向、すなわちほぼ水平方向に配置する鉄筋である。
縦枠１と横枠２とで包囲された空間には、客土３を充填する。
本発明の法枠では、特に縦枠１と横枠２とで包囲された空間に、客土容器４を配置することを特長とするものある。
コンクリートは一般に吹きつけ工法によって行う。
【０００８】
＜２＞客土容器４。（図１）
客土容器４は、客土３の一部を受け入れる容器である。
客土容器４は正面の客土支持面４１と、その両側の三角側面４２とより構成する。
客土容器４の上面と、客土支持面４１に対向する面は開放してある。
三角側面４２は側面視では逆三角形を呈し、平面視では客土支持面４１とほぼ直交する角度に形成してある。
三角側面４２の客土支持面４１とは反対側の端部は、さらに客土支持面４１と平行に外側へ折りまげて、法面への取り付け縁４３とし、この取り付け縁４３には穴４４を開口する。
この穴４４を介してアンカーを打設して、客土容器４を法面に固定する。
あるいは、事前に法面に金網を取り付ける場合には、この穴４４を介して金網に結束材などを利用して取り付けることもできる。
【０００９】
＜３＞鉄筋支持具５。
客土容器４の客土支持面４１には、横枠２の横鉄筋１２を受けるための鉄筋支持具５を設ける。
この鉄筋支持具５は、客土支持面４１から直角に突設した受け枝５１と、受け枝５１に直交させて十字条に取り付けた位置決め枝５２とにより構成する。
横鉄筋１２を２本配置する場合には、この受け枝５１も対応する位置に2本を平行に設置する。
この鉄筋支持具５の受け枝５１の上に横枠２の横鉄筋１２を支持することができ、位置決め枝５２によってその位置を確保することができる。
【００１０】
＜４＞独立した鉄筋支持具
なお、この鉄筋支持具５は、客土支持面４１とは独立した部材として構成することもできる。
例えば図４に示すように、客土支持面４１の一部にカマボコ状に受け枠４５を突設しておく。
一方、受け枝５１と位置決め枝５２を十字状に組み合わせた支持具５を独立して製造する。
そして受け枝５１の客土支持面４１側には受け枝５１と直交する方向に向けて挿入枝５３を形成する。
この挿入枝５３の一端をカマボコ状の受け枠４５に挿入すれば、客土容器４と鉄筋支持具５を一体に組み立てることができる。
あるいは鉄筋支持具５の位置決め枝５２の一端をヘアピン状に形成する。
このヘアピン部で客土支持面４１を挟むことによって、鉄筋支持具５を客土容器４の客土支持面４１に取り付けることができる。
【００１１】
＜５＞組み立て方法。
次に客土容器４と鉄筋の組み立て方法について説明する。
【００１２】
＜６＞金網の張り付け。
整形した法面に金網を展開して張り付ける。
ただし、この金網の張り付けは、本発明の構造に不可欠なものではなく、行わない場合もある。
【００１３】
＜７＞客土容器４の取り付け。
客土容器４を法面に取り付ける。
その際には、客土容器４の三角側面４２の自由端から折り曲げた取り付け縁４３の穴４４にアンカーを打設して行う。
事前に法面に金網を敷設する場合には、穴４４に通した細い鋼線を金網に結束することによって、客土容器４を法面に取り付けることができる。
【００１４】
＜８＞鉄筋の支持。
横鉄筋１２、および縦鉄筋１１を上下二段に配置する場合を説明する。
なお前記したように横鉄筋１２とは、法面の傾斜を横断する方向に、ほぼ水平方向に配置する鉄筋である。
まず、客土容器４の鉄筋支持具５を介して、下段の横鉄筋１２を配置し、結束線によって結束する。
次に、客土容器４以外の範囲に、下段の縦鉄筋１１を取り付け、すでに客土容器４に取り付けてある下段の横鉄筋１２に結束する。（図２）
次に、客土容器４の鉄筋支持具５を介して、上段の横鉄筋１２を配置する。
次に、客土容器４以外の範囲に、上段の縦鉄筋１１を配置し、横鉄筋１２に結束する。
こうして、法面に固定した客土容器４、客土容器４に取り付けた横鉄筋１２、横鉄筋１２にとりつけた縦鉄筋１１、の順序で、すべての部材が法面に固定できる。（図３）
なお、さらに確実にするには、縦鉄筋１１に添えて法面に鉄筋固定用のアンカーを打設して結束する方法を採用することもできる。
【００１５】
＜９＞コンクリートの吹きつけ。
上記の工程で位置の確定した縦鉄筋１１、横鉄筋１２を被覆する状態でコンクリートを吹き付け、コンクリート製の縦枠１と横枠２を完成する。
その縦枠１と横枠２で包囲した空間には客土容器４が位置しており、客土容器４はその上部を開放した状態で固定してある。
【００１６】
＜１０＞客土３の投入。
法枠が完成したら、縦枠１と横枠２に包囲された空間に客土３を投入する。
その場合に、本発明の法枠では、包囲された空間に客土容器４が位置しており、その上部が開放してある。
したがって客土３は、包囲された空間に投入されるだけではなく、その一部は客土容器４の内部に収納される。
そのために、雨水を受けても簡単に流出することがなく、長期間の間、安定して保持することができる。
【００１７】
＜１１＞有孔板の取り付け。
客土容器４の鉄筋支持具５を介して、横鉄筋１２ではなく、有孔板７を取り付けることもできる。
有孔板７とは例えば、厚さを有する金網、エキスパンドメタル、パンチングメタルのような、厚さを備えた有孔の板体である。
このような有孔板７を、客土容器４に取り付ける理由は、有孔板７の孔にコンクリート８が保持されるからである。
特に有孔板７に厚さを持たせると、その厚さ部分によってよりコンクリート８を強固に保持することができる。
すると、コンクリート８が有孔板７から剥離しにくくなるから、客土支持面４１が鉛直よりも法面から離れる角度に設置してもコンクリート８が剥離せず、そのまま維持することができる。（図５）
なお、有孔板７を取り付け、さらに横鉄筋１２を取り付ける構成を採用することもできる。
そうすればコンクリート構造物としての強度の向上はもちろん、コンクリートの剥離を阻止する効果も向上する。
【図面の簡単な説明】
【００１８】
【図１】本発明の法枠に使用する客土容器の実施例の説明図。
【図２】法枠の施工状態の説明図。
【図３】客土容器と鉄筋の配置状態の説明図。
【図４】客土容器の他の実施例の説明図。
【図５】客土容器に有孔板を取り付けた実施例の説明図。
【図６】従来の法枠の問題点の説明図。
【符号の説明】
【００１９】
１：縦枠
２：横枠
３：客土
４：客土容器
４１：客土支持面
４２：三角側面
５：鉄筋支持具
【図１】
2006200318.tif 000003
【図２】
2006200318.tif 000004
【図３】
2006200318.tif 000005
【図４】
2006200318.tif 000006
【図５】
2006200318.tif 000007
【図６】
2006200318.tif 000008